(57)【要約】【課題】可動式の入力手段の動作中における、接触式の入力手段に対する意図しない接触による誤動作を防止する携帯端末を提供する。【解決手段】筐体１２と、筐体１２表面に設けられ、接触の開始および終了を検出することにより第一の指示の入力を受け付ける接触式入力手段１８と、筐体１２表面に設けられ、動作の開始および終了を検出することにより第二の指示の入力受け付ける可動式入力手段１７と、可動式入力手段１７の動作の開始が検出された場合、接触式入力手段１８を、入力を受け付けないオフ状態にさせる制御手段とを備えた。【選択図】  図１
2010109891.tif 000002
【特許請求の範囲】
【請求項１】
筐体と、
前記筐体表面に設けられ、接触の開始および終了を検出することにより第一の指示の入力を受け付ける接触式入力手段と、
前記筐体表面に設けられ、動作の開始および終了を検出することにより第二の指示の入力受け付ける可動式入力手段と、
前記可動式入力手段の動作の開始が検出された場合、前記接触式入力手段を、入力を受け付けないオフ状態にさせる制御手段と、
を備えたことを特徴とする携帯端末。
【請求項２】
前記制御手段は、前記可動式入力手段の動作の終了が検出された場合、前記接触式入力手段を、入力を受け付けるオン状態にさせる請求項１記載の携帯端末。
【請求項３】
筐体と、
前記筐体表面に設けられ、接触の開始および終了を検出することにより第一の指示の入力を受け付ける接触式入力手段と、
前記筐体表面に設けられ、動作の開始および終了を検出することにより第二の指示の入力受け付ける可動式入力手段と、
前記可動式入力手段の動作の開始が検出された場合、前記接触式入力手段が入力を受け付けた前記第一の指示を無視する制御手段と、
を備えたことを特徴とする携帯端末。
【請求項４】
前記制御手段は、前記接触式入力手段が接触の開始が検出された後に、前記可動式入力手段の動作の開始が検出された場合、前記接触の開始の検出を破棄することにより前記第一の指示を無視する請求項３記載の携帯端末。
【請求項５】
前記制御手段は、前記可動式入力手段の動作の開始が検出された後に、さらに前記接触式入力手段の前記接触の終了が検出された場合、前記接触の終了の検出を破棄することにより前記第一の指示を無視する請求項４記載の携帯端末。
【請求項６】
前記制御手段は、前記可動式入力手段の動作の開始が検出された後に、前記可動式入力手段の動作の終了が検出され、さらに前記接触式入力手段の前記接触の終了が検出された場合、前記接触の終了の検出を破棄することにより前記第一の指示を無視する請求項４記載の携帯端末。
【請求項７】
前記可動式入力手段は、回転式入力手段、またはスライド式入力手段である請求項１または３記載の携帯端末。
【発明の詳細な説明】
【技術分野】
【０００１】
本発明は、携帯端末に係り、特に接触式の入力手段の誤動作を好適に防止する携帯端末に関する。
【背景技術】
【０００２】
携帯電話機などの各種携帯端末には、種々の入力装置が採用されている。例えば、押下により入力操作を行う操作キーよりも簡単にすばやく入力操作を行うことができる、いわゆるジョグダイヤルを備えた携帯端末が知られている（例えば特許文献１参照。）。このジョグダイヤルは、一般に正逆方向に回転操作可能であり、その回転方向に応じて予め記憶され、表示する順番が定められた文字やイメージなどの各種情報がディスプレイ上でスクロール表示される。
【特許文献１】特開２００７−４１６４１号公報
【発明の開示】
【発明が解決しようとする課題】
【０００３】
ジョグダイヤルなどの回転やスライドを必要とする可動式の入力装置に対しては、操作者が指を用いて入力装置の可動範囲に応じて回転やスライド動作を行うことにより、入力操作が行われる。
【０００４】
近年の携帯端末の小型化に伴い、ジョグダイヤルなどの可動式の入力装置自体も小型化されている。このため、ジョグダイヤルの回転操作時においては、ジョグダイヤルから指がはみ出し、携帯端末の筐体の表面上や他の入力装置に接触する可能性が非常に高い。
【０００５】
一方、近年、操作者が指で接触することにより入力操作を行うことができる、タッチセンサを備えた携帯端末も知られている。そして、携帯端末には、さらなる操作性の向上を図るため、ジョグダイヤルおよびタッチセンサの両者を、入力操作を行う手段として備えたものも知られている。
【０００６】
ここで、携帯端末にジョグダイヤルとタッチセンサとが近接して配置された場合、上述したように、ジョグダイヤルを操作する操作者の指がタッチセンサに意図せず接触する場合が想定される。このため、携帯端末はジョグダイヤルの操作に伴う処理のみならず、タッチセンサの接触に伴う処理が誤動作する可能性が非常に高い。
【０００７】
ジョグダイヤルの操作中にタッチセンサの接触が起こらない位置にタッチセンサを配置することも考えられる。しかし、近年の携帯端末の小型化に伴い、筐体表面上の操作キーやジョグダイヤル、タッチセンサなどの入力部の配置関係は非常に制限されるという実状もある。
【０００８】
本発明はこのような事情を考慮してなされたもので、可動式の入力手段の動作中における、接触式の入力手段に対する意図しない接触による誤動作を防止することができる携帯端末を提供することを目的とする。
【課題を解決するための手段】
【０００９】
本発明に係る携帯端末は、上述した課題を解決するために、筐体と、前記筐体表面に設けられ、接触の開始および終了を検出することにより第一の指示の入力を受け付ける接触式入力手段と、前記筐体表面に設けられ、動作の開始および終了を検出することにより第二の指示の入力受け付ける可動式入力手段と、前記可動式入力手段の動作の開始が検出された場合、前記接触式入力手段を、入力を受け付けないオフ状態にさせる制御手段とを備えたことを特徴とする。
【００１０】
また、本発明に係る携帯端末は、筐体と、前記筐体表面に設けられ、接触の開始および終了を検出することにより第一の指示の入力を受け付ける接触式入力手段と、前記筐体表面に設けられ、動作の開始および終了を検出することにより第二の指示の入力受け付ける可動式入力手段と、前記可動式入力手段の動作の開始が検出された場合、前記接触式入力手段が入力を受け付けた前記第一の指示を無視する制御手段とを備えたことを特徴とする。
【発明の効果】
【００１１】
本発明に係る携帯端末は、可動式の入力手段の動作中における、接触式の入力手段に対する意図しない接触による誤動作を防止することができる。
【発明を実施するための最良の形態】
【００１２】
本発明に係る携帯端末の実施形態を添付図面に基づいて説明する。図１は、本発明に係る携帯端末の一例であるスライド式の携帯電話機１の外観の構成を示す図である。図１（Ａ）は、携帯電話機１が伸ばされて第二操作部２１が露出した状態（開状態）のときの正面から見た外観の構成を示す。図１（Ｂ）は、携帯電話機１が縮められて下部筐体１２の主表面と上部筐体１３の背面とが重なり合った状態（閉状態）のときの正面から見た外観の構成を示す。
【００１３】
図１に示す携帯電話機１は、上部筐体１３の主表面上のディスプレイ１５が常に露出される。携帯電話機１は、図１（Ｂ）に示す上部筐体１３を下部筐体１２に重ねた閉状態から、上部筐体１３が下部筐体１２に対して矢印Ｘ方向にスライドされることにより、図１（Ａ）に示す開状態となり、下部筐体１２上の第二操作部２１が現れる。
【００１４】
上部筐体１３の主表面上の大半のエリアはディスプレイ１５が占めている。ディスプレイ１５は、電波の受信状態、電池残量の他、電子メールの内容、簡易ホームページなどを表示することができる。ディスプレイ１５は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。
【００１５】
ディスプレイ１５の下側のエリアには、限られた操作を行うための第一操作部１６が配置される。第一操作部１６には、ジョグダイヤル１７およびタッチセンサ１８からなる入力装置（入力手段）が設けられる。
【００１６】
ジョグダイヤル１７は、押下による入力が可能なプッシュボタン１９を中心に、その周囲に回転可能に構成された回転リング２０が配置されて構成される。ジョグダイヤル１７は、制御部（図２の制御部４１）と共に、回転リング２０の動作の開始および終了を検出することにより指示の入力を受け付ける可動式入力手段として機能する。ジョグダイヤル１７は、上部筐体１３の表面に対し垂直な軸周りに回転するディスクタイプのジョグダイヤルである。また、携帯電話機１は、回転リング２０の回転方向に応じて回転信号を出力し、回転信号の変化パターンに基づき、所定の処理を実行する。
【００１７】
タッチセンサ１８は、所定数（例えば４個）配置されており、ジョグダイヤル１７の周囲を囲むように配置されている。タッチセンサ１８は、制御部（図２の制御部４１）と共に、接触の開始および終了を検出することにより第一の指示の入力を受け付ける接触式入力手段として機能する。タッチセンサ１８には、静電容量方式、抵抗膜方式、音響パルス方式、超音波方式、表面弾性波方式、赤外遮光方式、電磁誘導方式などの種々の方式を適用することができる。
【００１８】
図１（Ａ）に示すように、下部筐体１２の主表面上には例えば押下により入力操作される第二操作部２１が配置されている。第二操作部２１は、閉状態では上部筐体１３の背後に隠れる。第二操作部２１には、操作キー２２からなる入力手段が設けられる。操作キー２２は、「０」から「９」の数字や「あ」行から「わ」行のかな文字、「Ａ」から「Ｚ」のアルファベットの入力が可能である。
【００１９】
なお、第一操作部１６と第二操作部２１とに構成される各種入力装置は一例であって、他の機能が割り当てられたキーなどをさらに配置してもよい。
【００２０】
下部筐体１２または上部筐体１３には、図示しないマイクロフォン（図２のマイクロフォン２４）、レシーバ（図２のレシーバ２５）が所定の位置に設けられており、通話機能を実現することができる。マイクロフォンは通話時のユーザの音声を集音し、電気信号に変換する。レシーバは、電気信号を可聴な音声に変換する。また、下部筐体１２には、背面側に図示しないバッテリパックが挿着されている。携帯電話機１は、所定の入力操作により電源がオン状態になると、バッテリパックから各回路部に対して電力が供給されて動作可能な状態に起動する。
【００２１】
図２は、本実施形態における携帯電話機１の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２２】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２３】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２４】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ２５により出力される。
【００２５】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してディスプレイ１５に表示させる。
【００２６】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー２２の操作に応じて、記憶部４２に記憶されているこの電子メールを読み出し、読み出された電子メールをディスプレイ１５に表示させる。
【００２７】
一方、通話モードにおいて、マイクロフォン２４に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。さらに、制御部４１にて作成されたテキストデータである電子メールも、圧縮伸張処理部３７に入力される。
【００２８】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２９】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。また、携帯電話機１には、現在の正確な時刻や所定の時間を測定する時計回路４５が設けられている。
【００３０】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなる。ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、ディスプレイ１５に表示される映像に関する情報が一時的に格納される。制御部４１は、本実施形態においては制御手段として機能する。
【００３１】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３２】
図３は、本実施形態におけるジョグダイヤル１７の操作の一例を説明する図である。図３に示すように、操作者がジョグダイヤル１７の回転リング２０を回転する場合、指を回転リング２０に押し当て、プッシュボタン１９の周囲を時計回りまたは反時計回りに回転させる。このとき、操作者の指は、ジョグダイヤル１７からはみ出る可能性が非常に高く、ジョグダイヤル１７の周囲に配置されたタッチセンサ１８を接触する可能性が高い。
【００３３】
本実施形態における携帯電話機１は、第二操作部２１に配置されたジョグダイヤル１７の動作中に、意図しないタッチセンサ１８の接触による誤動作が発生することを好適に防止することができる。
【００３４】
以下に説明するジョグダイヤル動作時の入力処理においては、携帯電話機１は、ジョグダイヤル１７が回転動作の開始を検出した後から回転動作の終了を検出するまでの間、タッチセンサ１８の電源をオフ状態にすることにより、意図しないタッチセンサ１８に対する接触による誤動作の発生を防止することができる。以下、ジョグダイヤル動作時の入力処理の詳細について説明する。
【００３５】
図４は、本実施形態における携帯電話機１の制御部４１により実行されるジョグダイヤル動作時の入力処理を説明するフローチャートである。このジョグダイヤル動作時の入力処理は、携帯電話機１が、所定の入力操作により電源をオン状態にする指示を受け付けた後や、第一操作部１６および第二操作部２１の操作ロック（一部の操作部のロックの解除の場合に適用しても良いし、ジョグダイヤル１７のロック解除、タッチセンサ１８のロック解除に適用しても良い、以下同じ。）が解除されることにより、入力処理の実行が開始された場合に開始される。また、タッチセンサの動作は接触するだけでは、入力したことにならず、接触から所定時間経過すること（長押し動作）または接触から所定時間経過前に接触の終了を検出すること（短押し動作）で動作するものとする。
【００３６】
ステップＳ１において、制御部４１は、ジョグダイヤル１７の電源をオン状態にする。ジョグダイヤル１７は、回転リング２０の回転動作を検出することにより、入力操作の受け付けが可能となる。ステップＳ２において、制御部４１は、タッチセンサ１８の電源をオン状態にする。タッチセンサ１８は、接触の開始（以下、タッチという。）および接触の終了（以下、リリースという。）を検出することにより、入力操作の受け付けが可能となる。
【００３７】
ステップＳ３において、制御部４１は、入力処理が終了したか否かの判定を行う。入力処理は、携帯電話機１が所定の入力操作により電源をオフ状態にする指示を受け付けた後や、第一操作部１６や第二操作部２１の操作ロックが設定された場合に終了される。制御部４１は、入力処理が終了したと判定した場合、ジョグダイヤル動作時の入力処理を終了する。
【００３８】
一方、制御部４１は、入力処理が終了していないと判定した場合、ステップＳ４において、所定のイベントの発生を検出したか否かの判定を行う。所定のイベントには、ジョグダイヤル１７の回転リング２０の回転動作の開始および終了イベント、タッチセンサ１８のタッチおよびリリースイベントが該当する。なお、本実施形態においては、他のイベント処理（例えば、操作キー２２の押下、通話着信）が発生した場合についての説明は省略する。制御部４１は、所定のイベントを検出していないと判定した場合、入力処理終了判定ステップＳ３に戻る。
【００３９】
制御部４１は、イベント発生判定ステップＳ４においてジョグダイヤル１７の回転動作の開始イベントの発生を検出した場合、ステップＳ５において、タッチセンサ１８の電源をオフ状態にして、タッチセンサ１８を入力を受け付けないオフ状態にさせる。ここで、タッチセンサ１８がオフ状態になることにより、制御部４１はタッチセンサ１８のタッチおよびリリースを検出しない。このため、携帯電話機１は、ジョグダイヤル１７の回転動作開始後に意図しないタッチセンサ１８に対する接触（タッチおよびリリース）が発生しても、タッチセンサ１８に割り当てられた処理を誤動作することがない。
【００４０】
ステップＳ６において、制御部４１は、タッチフラグをオフにする。このタッチフラグは、通常、イベント発生判定ステップＳ４においてタッチセンサ１８のタッチイベントを検出した後に、フラグＯＮステップＳ８においてオンにセットされるものである。なお、制御部４１は、ステップＳ６においてタッチフラグがオフであった場合には、そのままオフの状態を維持する。制御部４１は、入力処理終了判定ステップＳ３に戻り、以降の処理を繰り返す。
【００４１】
次に、制御部４１は、イベント発生判定ステップＳ４においてジョグダイヤル１７の回転動作の終了イベントを検出した場合、ステップＳ７において、タッチセンサ１８の電源をオン状態にして、タッチセンサ１８を入力を受け付けるオン状態にさせる。本処理は、ジョグダイヤル１７の回転動作の開始の検出に伴い、タッチセンサＯＦＦステップＳ５においてオフ状態になっていたタッチセンサ１８をオン状態にし、入力操作の受け付けが可能な状態に復帰させる処理である。制御部４１は、入力処理終了判定ステップＳ３に戻り、以降の処理を繰り返す。なお、ジョグダイヤル１７の回転動作の終了イベントは、例えば、ジョグダイヤル１７の回転動作の開始後、一定時間ジョグダイヤル１７の回転動作の検出がない場合に発生するイベントである。
【００４２】
一方、制御部４１は、イベント発生判定ステップＳ４においてタッチセンサ１８のタッチイベントを検出した場合、ステップＳ８において、タッチフラグをオンにセットする。制御部４１は、入力処理終了判定ステップＳ３に戻り、以降の処理を繰り返す。
【００４３】
また、制御部４１は、イベント発生判定ステップＳ４においてタッチセンサ１８のリリースイベントの発生を検出した場合、ステップＳ９において、タッチフラグがオンにセットされているか否かの判定を行う。制御部４１は、タッチフラグがオフであると判定した場合、ステップＳ１０において、リリースイベントを破棄する。対応するタッチイベントが発生していないためである。タッチフラグがオフであるにも関わらずリリースが検出される場合は、ジョグダイヤル１７の回転動作の開始前または回転動作中（タッチセンサ１８はオフ状態）にタッチセンサ１８がタッチされ、ジョグダイヤル１７の回転動作が終了（タッチセンサ１８はオン状態）した後にタッチセンサ１８がリリースされた場合などが該当する。
【００４４】
制御部４１は、タッチフラグがオンにセットされていると判定した場合、ステップＳ１１において、タッチフラグをオフにする。また、ステップＳ１２において、タッチセンサ１８のリリースイベントの発生を検出したことに伴う所定の処理を実行する。すなわち、制御部４１は、タッチセンサ１８より入力を受け付けた指示に基づき所定の処理を実行する。なお、制御部４１は、検出されたタッチに対応するリリースが検出された時点で、タッチセンサ１８に割り当てられた所定の処理を実行するようになっている。タッチセンサ１８は、接触時間に応じて異なる入力操作を受け付けることができる。タッチセンサ１８は上述した動作に限らず、タッチを検出した時点で所定の処理を実行するように構成してもよい。制御部４１は、入力処理終了判定ステップＳ３に戻り、以降の処理を繰り返す。
【００４５】
このジョグダイヤル動作時の入力処理では、ジョグダイヤル１７の回転動作開始から終了までタッチセンサ１８の電源をオフ状態にする。このため、タッチセンサ１８のタッチおよびリリースイベントは、ジョグダイヤル１７の回転動作開始から終了まで発生することがないため、ジョグダイヤル１７の回転動作に伴う誤動作の発生を好適に防止することができる。
【００４６】
また、１．タッチセンサ１８のタッチイベント、２．ジョグダイヤル１７の回転動作開始イベント、３．ジョグダイヤル１７の回転動作終了イベント、４．タッチセンサ１８のリリースイベントの順にイベントが発生した場合には、２．ジョグダイヤル１７の回転動作開始イベント発生後のフラグＯＦＦステップＳ６でタッチフラグをオフにする。このため、ジョグダイヤル１７の回転動作前に意図しないタッチセンサ１８のタッチが発生しても、４．タッチセンサ１８のリリースイベント発生後のフラグＯＮ判定ステップＳ９においてタッチフラグはオフであると判定され、リリースの検出が破棄されて、誤動作が発生しないようになっている。
【００４７】
さらに、ジョグダイヤル１７の回転動作時においては、タッチセンサ１８をオフ状態にするため、省電力化にも有効である。
【００４８】
次に、本実施形態における携帯電話機１により実行される、他のジョグダイヤル動作時の入力処理について説明する。
【００４９】
以下に説明する他のジョグダイヤル動作時の入力処理においては、携帯電話機１は、ジョグダイヤル１７が回転動作の開始を検出した後から回転動作の終了を検出するまでの間にタッチセンサ１８のタッチまたはリリースイベントが発生した場合、イベントの発生を破棄することによりタッチセンサ１８が入力を受け付けた指示を無視する。このため、携帯電話機１は、意図しないタッチセンサ１８に対する接触による誤動作の発生を防止することができる。以下、他のジョグダイヤル動作時の入力処理の詳細について説明する。
【００５０】
図５は、本実施形態における携帯電話機１の制御部４１により実行される他のジョグダイヤル動作時の入力処理を説明するフローチャートである。この他のジョグダイヤル動作時の入力処理は、携帯電話機１が、所定の入力操作により電源をオン状態にする指示を受け付けた後や、第一操作部１６や第二操作部２１の操作ロックが解除されることにより、入力処理の実行が開始された場合に開始される。
【００５１】
ジョグダイヤル電源ＯＮステップＳ２１〜イベント発生判定ステップＳ２４の処理は、図４のジョグダイヤル動作時の入力処理のジョグダイヤル電源ＯＮステップＳ１〜イベント発生判定ステップＳ４の処理とほぼ同様であるため、説明を省略する。
【００５２】
制御部４１は、イベント発生判定ステップＳ２４においてジョグダイヤル１７の回転動作の開始イベントの発生を検出した場合、ステップＳ２５において、ジョグダイヤル動作フラグをオンにセットする。また、ステップＳ２６において、制御部４１は、タッチフラグをオフにセットする。なお、制御部４１は、ステップＳ２６においてタッチフラグがオフであった場合には、そのままオフの状態を維持する。制御部４１は、入力処理終了判定ステップＳ２３に戻り、以降の処理を繰り返す。
【００５３】
次に、制御部４１は、イベント発生判定ステップＳ２４においてジョグダイヤル１７の回転動作の終了イベントを検出した場合、ステップＳ２７において、ジョグダイヤル動作フラグをオフにする。制御部４１は、入力処理終了判定ステップＳ２３に戻り、以降の処理を繰り返す。
【００５４】
一方、制御部４１は、イベント発生判定ステップＳ２４においてタッチセンサ１８のタッチを検出した場合、ステップＳ２８において、ジョグダイヤル動作フラグがオンにセットされているか否かの判定を行う。制御部４１は、ジョグダイヤル動作フラグがオフであると判定した場合、ステップＳ２９において、タッチフラグをオンにセットする。制御部４１は、入力処理終了判定ステップＳ２３に戻り、以降の処理を繰り返す。
【００５５】
一方、制御部４１は、ジョグダイヤル動作フラグがオンにセットされていると判定した場合、ステップＳ３０において、タッチイベントを破棄する。ジョグダイヤル１７が回転動作中であるにも関わらず発生したタッチセンサ１８のタッチであるため、発生したタッチイベントを意図しないタッチであるとみなすことができるためである。
【００５６】
また、制御部４１は、イベント発生判定ステップＳ２４においてタッチセンサ１８のリリースイベントの発生を検出した場合、ステップＳ３１において、ジョグダイヤル動作フラグがオンにセットされているか否かの判定を行う。制御部４１は、ジョグダイヤル動作フラグがオンにセットされていると判定した場合、ステップＳ３０においてリリースイベントを破棄する。ジョグダイヤル１７が回転動作中であるにも関わらず発生したタッチセンサ１８のリリースであるため、意図しないタッチに対応するリリースであるとみなすことができるためである。
【００５７】
一方、制御部４１は、ジョグダイヤル動作フラグがオフであると判定した場合、ステップＳ３２において、タッチフラグがオンにセットされているか否かの判定を行う。制御部４１は、タッチフラグがオフであると判定した場合、ステップＳ３０においてリリースイベントを破棄する。対応するタッチイベントが発生していないためである。
【００５８】
タッチフラグがオフであるにも関わらずリリースが検出される場合は、ジョグダイヤル１７の回転動作の開始前または回転動作中にタッチセンサ１８がタッチされ（タッチフラグはオフ）、ジョグダイヤル１７の回転動作が終了したのちにタッチセンサ１８がリリースされた場合などが該当する。
【００５９】
制御部４１は、ステップＳ３２においてタッチフラグがオンにセットされていると判定した場合、ステップＳ３３において、タッチフラグをオフにする。また、ステップＳ３４において、タッチセンサ１８のリリースを検出したことに伴う所定の処理を実行する。すなわち、制御部４１は、タッチセンサ１８より入力を受け付けた指示に基づき所定の処理を実行する。制御部４１は、入力処理終了判定ステップＳ２３に戻り、以降の処理を繰り返す。
【００６０】
この他のジョグダイヤル動作時の入力処理では、ジョグダイヤル１７の回転動作開始から終了までの間で発生したタッチセンサ１８のタッチおよびリリースイベントを破棄する。このため、タッチセンサ１８のリリースを検出したことに伴う所定の処理が実行されることがないため、ジョグダイヤル１７の回転動作に伴う誤動作の発生を好適に防止することができる。
【００６１】
また、１．タッチセンサ１８のタッチイベント、２．ジョグダイヤル１７の回転動作開始イベント、３．タッチセンサ１８のリリースイベント、４．ジョグダイヤル１７の回転動作終了イベントの順にイベントが発生した場合、および１．タッチセンサ１８のタッチイベント、２．ジョグダイヤル１７の回転動作開始イベント、３．ジョグダイヤル１７の回転動作終了イベント、４．タッチセンサ１８のリリースイベントの順にイベントが発生した場合には、制御部４１は、２．ジョグダイヤル１７の回転動作開始イベント発生後のフラグＯＦＦステップＳ２６でタッチフラグをオフにする。すなわち、制御部４１は、ジョグダイヤル１７の回転動作が開始した時点でタッチイベントの検出を破棄する。このため、ジョグダイヤル１７の回転動作前に意図しないタッチセンサ１８のタッチが発生しても、４．タッチセンサ１８のリリースイベント発生後のフラグＯＮ判定ステップＳ３２においてタッチフラグはオフであると判定され、リリースの検出が破棄されて、誤動作が発生しないようになっている。
【００６２】
この携帯電話機１によれば、ジョグダイヤル１７が回転動作の開始を検出した後から回転動作の終了を検出するまでの間、タッチセンサ１８の電源をオフ状態にする、または検出したタッチセンサ１８のタッチまたはリリースイベントに伴う指示の入力を無視することにより、ジョグダイヤル１７の回転動作中における、タッチセンサ１８に対する意図しない接触による誤動作を好適に防止することができる。
【００６３】
なお、本実施形態における携帯電話機１では可動式入力手段としてディスクタイプのジョグダイヤルを適用した例を説明したが、動作させる操作者の指に一定の可動範囲が必要となる他の可動式入力手段を本発明に適用することができる。適用可能な可動式入力手段の一例は、下部筐体１２または上部筐体１３の側面に設けられ、側面からその一部が突出して回転動作するサイドジョグ、円柱型に構成されたダイヤルが倒れた状態で上部筐体１３に配置され、かつその一部が上部筐体１３の主表面から突出して主表面に平行な軸周りに回転するセンタージョグなどの回転式入力手段、平面直線上をスライドしてオン、オフを切り替えるスライドスイッチ、ポインティングデバイスなどのスライド式入力手段などである。
【００６４】
また、ジョグダイヤル１７などの可動式入力手段と、タッチセンサ１８などの接触式入力手段の配置は、図１に示す配置に限られない。さらに、ジョグダイヤル１７とタッチセンサ１８とが配置されるのは同一筐体の同一表面上に限られず、異なる表面上に配置されてもよい。例えば、ジョグダイヤル１７が上部筐体１３の主表面上、タッチセンサ１８が側面上にそれぞれ配置されてもよい。
【００６５】
また、上部筐体１３が下部筐体１２に対してスライドして重なるスライド型の携帯電話機１に適用した例を示したが、ヒンジ結合されたいわゆる折りたたみ型、ヒンジの回転軸に対して垂直な回転軸周りにも回転可能なスイーベル型、ヒンジの回転軸周りに約３６０度回転可能なリバーシブル型のものであってもよいし、単一の筐体を用いるいわゆるストレート型であってもよい。
【００６６】
本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の可動式入力手段と接触式入力手段とを備えた携帯端末にも適用することができる。
【００６７】
さらに、本発明の各実施形態において説明した一連の処理は、ソフトウェアにより実行させることもできるが、ハードウェアにより実行させることもできる。
【００６８】
さらにまた、本実施形態では、フローチャートのステップは記載された順序に沿って時系列的に行われる処理の例を示したが、必ずしも時系列的に処理されなくとも、並列的あるいは個別実行される処理をも含むものである。
【図面の簡単な説明】
【００６９】
【図１】本発明に係る携帯端末の一例であるスライド式の携帯電話機の外観の構成を示す図。
【図２】本実施形態における携帯電話機の内部の構成を示す図。
【図３】本実施形態におけるジョグダイヤルの操作の一例を説明する図。
【図４】本実施形態における携帯電話機の制御部により実行されるジョグダイヤル動作時の入力処理を説明するフローチャート。
【図５】本実施形態における携帯電話機の制御部により実行される他のジョグダイヤル動作時の入力処理を説明するフローチャート。
【符号の説明】
【００７０】
１  携帯電話機
１２  下部筐体
１３  上部筐体
１５  ディスプレイ
１６  第一操作部
１７  ジョグダイヤル
１８  タッチセンサ
１９  プッシュボタン
２０  回転リング
２１  第二操作部
２２  操作キー
２４  マイクロフォン
２５  レシーバ
４１  制御部
４２  記憶部
【図１】
2010109891.tif 000003
【図２】
2010109891.tif 000004
【図３】
2010109891.tif 000005
【図４】
2010109891.tif 000006
【図５】
2010109891.tif 000007